(57)【特許請求の範囲】
【請求項１】
口頚部３を起立した容器体Ａと、口頚部外周に嵌合させた周壁４上端縁より頂壁５を延設するとともに、頂壁後部に蓋板押し下げ用の凹部ａを形成し、且つ、頂壁前部に振り出し孔６を穿設してなるキャップ本体Ｂと、該本体上に上下揺動可能に装着させて振り出し孔を開閉可能に被覆する蓋板Ｃとを備え、上記凹部ａ底面前部に形成した嵌合凹溝ｄ内に嵌合させた嵌合基板13上面より一体に立設した垂直状部11a を介して後方へ水平状部11b を延設した横Ｌ字板状をなす非金属製の弾性板11を設け、蓋板後部下面より垂設して前面下端部を弾性板11後面に圧接させるとともに、蓋板後部の押し下げにより弾性板11を弾性変形させる板状の押圧部12を設けたことを特徴とする振り出し容器。
【請求項２】
上記振り出し孔６からの内容物の振り出しが可能で、且つ、上記弾性板11及び押圧部12の圧接が外れない範囲で、蓋板Ｃの開蓋角度を規制する開蓋角度規制手段Ｄを設けてなる請求項１記載の振り出し容器。
【請求項３】
上記開蓋角度規制手段Ｄが、上記凹部ａ底面後部に突設した係止突起14と、上記蓋板Ｃ後部下面より垂設した垂下壁15とからなり、蓋板後部の押し下げ時に、垂下壁下端部が係止突起に係止されて、それ以上の蓋板Ｃの回動を防止する如く構成した開蓋角度規制手段である請求項２記載の振り出し容器。
【発明の詳細な説明】
【０００１】
【発明の属する技術分野】
本発明は振り出し容器に関する。
【０００２】
【従来の技術】
振り出し容器として、種々の形態のものがあるが、例えば、口頚部を起立した容器体と、口頚部外周に嵌合させた周壁上端縁より頂壁を延設し、頂壁の前部に振り出し孔を穿設するとともに、頂壁後部中央を下方に凹ませて蓋板を押し下げるための上面及び後面開口の凹部を設けたキャップ本体と、振り出し孔を被覆して頂壁上に前部を当接載置させるとともに、凹部上部へ押し下げ可能に後部を突出させ、後部両側を凹部両側に枢着することにより、開閉可能に設けた蓋板とを備えたものが知られている。
【０００３】
これらは蓋板後部を押し下げて振り出し孔を開口し、容器を傾けつつ振って内容物を振り出す如く構成したものである。
【０００４】
従来のこの種の容器では、開いた蓋板を再び元の状態に戻すために、一般に金属製のトーションバネを枢着部分に装着している。
【０００５】
【発明が解決しようとする課題】
上記トーションバネを装着したものは、不使用時には、蓋板を常時閉方向へ付勢しているため、不用意に蓋板が開く虞がなく、また、開蓋して内容物を振り出した後には、蓋板の押圧を解除するだけで振り出し孔を密閉する元の状態に戻るため、取り扱いが極めて便利である。
【０００６】
しかしながら、合成樹脂と金属との分別処理が要望されている近年の廃棄物処理事情を考慮すると、上記従来容器では、廃棄の際に一々分解してトーションバネを取り外さなければならないという不都合があり、また、トーションバネの装着，離脱もその形状から容易に行い難いものである。
【０００７】
本発明は上記した点に鑑み、分別処理の必要がなく、蓋板の閉蓋状態の維持及び自動的な閉蓋が行えるとともに、構造が簡単で、組み付けが容易である優れた振り出し容器を提案するものである。
【０００８】
また、開蓋状態から閉蓋状態への蓋板の付勢力を常時損なうことがなく、良好な蓋板の閉方向への付勢力の維持を行える振り出し容器を提案するものである。
【０００９】
【課題を解決するための手段】
第１の手段として、以下の通り構成した。即ち、口頚部３を起立した容器体Ａと、口頚部外周に嵌合させた周壁４上端縁より頂壁５を延設するとともに、頂壁後部に蓋板押し下げ用の凹部ａを形成し、且つ、頂壁前部に振り出し孔６を穿設してなるキャップ本体Ｂと、該本体上に上下揺動可能に装着させて振り出し孔を開閉可能に被覆する蓋板Ｃとを備え、上記凹部ａに一端を固定するとともに、他端の自由端を凹部内に突出させた非金属製の弾性板11を設け、蓋板後部下面より突設して弾性板11に圧接させるとともに、蓋板後部の押し下げにより弾性板11を弾性変形させる押圧部12を設けた。
【００１０】
また、上記弾性板11が、上記凹部ａ底面前部に形成した嵌合凹溝ｄ内に嵌合させた嵌合基板13上面より一体に立設した垂直状部11a を介して後方へ水平状部11b を延設した横Ｌ字板状の弾性板であり、上記押圧部12が、蓋板後部下面より垂設して前面下端部を弾性板後面に圧接させた板状の押圧部である如く構成した。
【００１１】
第２の手段として、以下の通り構成した。即ち、前記第１の手段に於いて、上記振り出し孔６からの内容物の振り出しが可能で、且つ、上記弾性板11及び押圧部12の圧接が外れない範囲で、蓋板Ｃの開蓋角度を規制する開蓋角度規制手段Ｄを設けた。
【００１２】
第３の手段として、以下の通り構成した。即ち、前記第２の手段に於いて、上記開蓋角度規制手段Ｄが、上記凹部ａ底面後部に突設した係止突起14と、上記蓋板Ｃ後部下面より垂設した垂下壁15とからなり、蓋板後部の押し下げ時に、垂下壁下端部が係止突起に係止されて、それ以上の蓋板Ｃの回動を防止する如く構成した開蓋角度規制手段である如く構成した。
【００１３】
【発明の実施の形態】
以下、本発明の実施例の形態を図面を参照して説明する。
【００１４】
図面に示す如く、本発明の振り出し容器１は、容器体Ａと、キャップ本体Ｂと蓋板Ｃとを備えている。
【００１５】
容器体Ａは合成樹脂等により形成されたもので、筒状の胴部２上端縁より口頚部３を起立して構成し、内部に粉末，顆粒等の振り出し用内容物を収納する。
【００１６】
キャップ本体Ｂも同様に合成樹脂等により形成され、口頚部３外周に嵌合させた周壁４上端縁より頂壁５を延設するとともに、頂壁後部に蓋板押し下げ用の凹部ａを形成しており、また、凹部ａ前方の頂壁５には振り出し孔６を穿設している。
【００１７】
図示例では、円筒状の周壁４上端より頂壁５を延設し、頂壁５後部中央を下方へ凹ませて形成した上面及び後面開口の凹部ａを設けている。また、凹部ａ前端縁に連通させて頂壁５の前部中央を前後に貫通する蓋板嵌合用の浅い凹部ｂを設け、この凹部ｂの底面部に複数の振り出し孔６を穿設している。また、頂壁５裏面の周縁部より、下面を容器体口頚部３上面に密接させる支持筒７を垂設している。
【００１８】
蓋板Ｃも合成樹脂等により形成され、キャップ本体Ｂ上に上下揺動可能に装着させて振り出し孔６を開閉可能に被覆させる如く構成している。
【００１９】
図示例では、振り出し孔６を被覆して前部を蓋板嵌合用の凹部ｂ内に嵌合させるとともに、後部を蓋板押し下げ用の凹部ａ上部に突出させ、後部下面両側より垂設した一対の支持板８を介して、その外面に各々突設した枢着軸９を、凹部ａ両側壁上部に凹設した軸受け凹部ｃに回動可能に嵌合させている。また、蓋板Ｃ前部下面より、上記各振り出し孔６に嵌合する栓突起10を突設している。
【００２０】
本発明では、上記凹部ａに一端を固定するとともに、他端の自由端を凹部ａ内に突出させた非金属製の弾性板11を設け、また、蓋板Ｃ後部下面より突設して弾性板11に圧接させるとともに、蓋板後部の押し下げにより弾性板11を弾性変形させる押圧部12を設けている。この弾性板11と押圧部12の存在により、閉蓋状態では、押圧部12が弾性板11に圧接して常時蓋板Ｃを閉状態に維持し、また、後部を押し下げた蓋板Ｃの開蓋状態では、押圧を解除すると弾性板11の弾性復元力により押圧部12が元の状態に押し戻され、蓋板Ｃが元の状態に復帰する如く構成している。弾性板の材質としては、エラストマー等の弾力性に富んだ非金属材料を使用する。
【００２１】
図示例の弾性板11は、上記凹部ａ底面前部に形成した嵌合凹溝ｄ内に嵌合させた嵌合基板13上面より一体に立設した垂直状部11a を介して後方へ水平状部11b を延設した横Ｌ字板状をなしている。
【００２２】
また、図示例の押圧部12は、蓋板Ｃ後部下面より垂設して前面下端部を弾性板11後面に圧接させた板状の押圧部12として構成している。
【００２３】
そして、蓋板Ｃの後部を押し下げた際に、押圧部12の下端部が弾性板11の水平状部11b 下面を押し上げて弾性変形させ、また、蓋板Ｃ後部の押圧を解除すれば、弾性板11の弾性復元力により押圧部12前面が後方へ押し下げられ、蓋板Ｃが元の状態に戻る如く構成している。
【００２４】
また、本発明容器は、振り出し孔６からの内容物の振り出しが可能で、且つ、弾性板11及び押圧部12の圧接が外れない範囲で、蓋板Ｃの開蓋角度を規制する開蓋角度規制手段Ｄを設けても良い。
【００２５】
開蓋角度規制手段Ｄを設けることにより、蓋板Ｃの必要以上の開蓋を抑えて、弾性板11と押圧部12との圧接が外れるのを確実に防止することが出来る様に構成している。従って、この規制手段Ｄによる具体的な開蓋角度は、振り出し孔６からの内容物の振り出しが行えて、なおかつ、弾性板11と押圧部12との具体的形状等に照らして、それらの圧接が外れない程度の角度を選択すれば良い。
【００２６】
図示例の開蓋角度規制手段Ｄは、上記凹部ａ底面後部に突設した係止突起14と、蓋板Ｃ後部下面より垂設した垂下壁15とからなり、蓋板Ｃ後部の押し下げ時に垂下壁15下端部が係止突起14に係止されて、それ以上の蓋板Ｃの回動を防止し、弾性板11と、押圧部12との圧接が外れるのを防止する如く構成している。
【００２７】
以下、図示例の容器を使用する場合について説明する。図１に示す状態から蓋板Ｃの後部を押し下げると、振り出し孔６が開く。この状態で容器を振れば、内容物が振り出し孔６より振り出される。次いで、蓋板Ｃ後部の押圧を解除すれば、弾性板11の弾性復元力により、蓋板Ｃが元の状態に戻る。
【００２８】
【発明の効果】
以上説明した如く本発明の容器は、既述構成としたことにより、金属製のトーションバネを使用せずに形成できるため、廃棄の際の分別処理を必要とせず、蓋板の閉蓋状態の維持及び自動的な閉蓋が行える。
【００２９】
また、蓋板押し下げ用の凹部ａ底面前部に形成した嵌合凹溝ｄ内に嵌合させた嵌合基板13上面より一体に立設した垂直状部11a を介して後方へ水平状部11b を延設した横Ｌ字板状の弾性板11を備え、また、蓋板Ｃ後部下面より垂設して前面下端部を弾性板11後面に圧接させた板状の押圧部12を備えたものにあっては、弾性板の取り付けが嵌着させるだけで行え、また、押圧部12は蓋板Ｃと一体に形成できるため、トーションバネの組み付けと比較して簡単に行える利点があり、また、弾性板は横Ｌ字板状であるため、押圧部12により押し上げた際に、垂直状部11a も前方へ弾性変形するため、開蓋の角度に比較して水平状部11b の弾性変形幅が小さくて済み、両者の圧接を外れ難くしている。
【００３０】
また、蓋板Ｃの開蓋角度を規制する開蓋角度規制手段Ｄを設けたものにあっては、振り出し孔からの振り出し可能な角度及び弾性板11と押圧部12との形態等に照らして開蓋角度を規定しておけば、両者の圧接が外れるという不都合を生じる虞はない。
【００３１】
また、上記開蓋角度規制手段Ｄが、凹部ａ底面後部に突設した係止突起14と、蓋板Ｃ後部下面より垂設した垂下壁15とからなり、蓋板Ｃ後部の押し下げ時に、垂下壁15下端部が係止突起14に係止されて、それ以上の蓋板Ｃの回動を防止する如く構成したものにあっては、極めて簡単な構造で上記効果を発揮することが出来るものである。
【図面の簡単な説明】
【図１】本発明の一実施例を示す一部切欠き側面図である。
【図２】同実施例の平面図である。
【図３】同実施例の弾性板を示す斜視図である。
【図４】同実施例の開蓋状態の一部切欠き側面図である。
【符号の説明】
３…口頚部，４…周壁，５…頂壁，６…振り出し孔，11…弾性板，
11a …垂直状部，11b …水平状部，13…嵌合基板，14…係止突起，
15…垂下壁，Ａ…容器体，Ｂ…キャップ本体，Ｃ…蓋板，
Ｄ…開蓋角度規制手段，ａ…蓋板押し下げ用の凹部，ｄ…嵌合凹溝
【図１】
0004198216.tif 000002
【図２】
0004198216.tif 000003
【図３】
0004198216.tif 000004
【図４】
0004198216.tif 000005